(57)【要約】電子装置（１０）は、電子装置によって送信された又は電子装置によって受信された一つ以上のメッセージのテキストを含むメッセージ・ログを表示し、文章作成が行われる新たなメッセージ用のテキストを示す入力フィールドを表示するタッチ・スクリーン（１６）を含む。電子はまた、メッセージ・ログからユーザがタッチ選択したテキストを表すタッチ入力信号をタッチ・スクリーンから受信し、追加のユーザ入力なしで、入力フィールド内へタッチ選択されたテキストを入力するように構成される制御回路を含む。【選択図】図７
2012522284.tif 000002
【特許請求の範囲】
【請求項１】
電子装置によって送信された又は前記電子装置によって受信された一つ以上のメッセージのテキストを含むメッセージ・ログを表示し、文章作成が行われる新たなメッセージ用のテキストを示す入力フィールドを表示するタッチ・スクリーン（１６）と、
前記メッセージ・ログからユーザがタッチ選択したテキストを表すタッチ入力信号を前記タッチ・スクリーンから受信し、
追加のユーザ入力なしで、前記入力フィールド内へ前記タッチ選択されたテキストを入力するように構成される制御回路（３４）と、を含む、電子装置（１０）。
【請求項２】
前記タッチ入力信号は、ユーザが個々の語をタッチすることに対応し、前記個々の語は、前記入力フィールド内へ入力される、請求項１の電子装置。
【請求項３】
前記タッチ入力信号は、前記メッセージ・ログからのメッセージに関連する指定場所に対応し、前記対応するメッセージからの全てのテキストが、前記入力フィールド内へ入力される、請求項１の電子装置。
【請求項４】
前記タッチ入力信号は、ユーザが２つの語の間のスペースをタッチすることに対応し、前記２つの語は、前記入力フィールド内へ入力される、請求項１の電子装置。
【請求項５】
前記タッチ入力信号は、ユーザが第一の語にタッチすること、及び、前記タッチすることを中断せずに第二の語をタッチするように移動することに対応し、前記第一及び第二の語は、タッチされた順序で前記入力フィールド内へ入力される、請求項１の電子装置。
【請求項６】
前記タッチ入力信号は、テキスト選択開始位置及びテキスト選択終了位置を示すために、第一の位置及び第二の位置に同時にタッチすることに対応し、前記開始位置から前記終了位置に及ぶテキストが、前記入力フィールド内へ入力される、請求項１の電子装置。
【請求項７】
前記制御回路は、更に、
キー押下、前記タッチ・スクリーンへの手書き、又は、表示されるキーボードの文字のタッチの少なくとも一の形式でユーザ入力を受信し、
前記タッチ選択されたテキストで、前記入力フィールド内へ前記ユーザ入力に対応するテキストを入力するように構成される、請求項１ないし６の何れか一項の電子装置。
【請求項８】
前記制御回路は、更に、前記ユーザに関連する予測テキスト辞書に、タッチ選択されたテキストを追加するように構成される、請求項１ないし７の何れか一項の電子装置。
【請求項９】
前記制御回路は、更に、
前記タッチ・スクリーン上に一つ以上の提示されるフレーズを表示し、
前記提示されるフレーズの一つからユーザがタッチ選択したテキストを表すタッチ入力信号を前記タッチ・スクリーンから受信し、
追加のユーザ入力なしで、前記入力フィールド内へ前記提示されるフレーズから前記タッチ選択されたテキストを入力するように構成される、請求項１ないし８の何れか一項の電子装置。
【請求項１０】
前記電子装置は携帯電話機である、請求項１ないし９の何れか一項の電子装置。
【請求項１１】
電子装置（１０）においてテキストを入力する方法であって、
タッチ・スクリーン（１６）上に、前記電子装置によって送信された又は前記電子装置によって受信された一つ以上のメッセージのテキストを含むメッセージ・ログを表示すること、
前記タッチ・スクリーン上に、文章作成が行われる新たなメッセージ用のテキストを示す入力フィールドを表示すること、
前記メッセージ・ログからユーザがタッチ選択したテキストを表すタッチ入力を前記タッチ・スクリーンを介して受信すること、及び
追加のユーザ入力なしで、前記入力フィールド内へ前記タッチ選択されたテキストを入力すること、を含む方法。
【請求項１２】
テキストの前記タッチ選択は、ユーザが個々の語をタッチすることに対応し、前記個々の語は、前記入力フィールド内へ入力される、請求項１１の方法。
【請求項１３】
テキストの前記タッチ選択は、前記メッセージ・ログからのメッセージに関連する指定場所に対応し、前記対応するメッセージからの全てのテキストが、前記入力フィールド内へ入力される、請求項１１の方法。
【請求項１４】
テキストの前記タッチ選択は、ユーザが２つの語の間のスペースをタッチすることに対応し、前記２つの語は、前記入力フィールド内へ入力される、請求項１１の方法。
【請求項１５】
テキストの前記タッチ選択は、ユーザが第一の語にタッチすること、及び、前記タッチすることを中断せずに第二の語をタッチするように移動することに対応し、前記第一及び第二の語は、タッチされた順序で前記入力フィールド内へ入力される、請求項１１の方法。
【請求項１６】
テキストの前記タッチ選択は、テキスト選択開始位置及びテキスト選択終了位置を示すために、第一の位置及び第二の位置に同時にタッチすることに対応し、前記開始位置から前記終了位置に及ぶテキストが、前記入力フィールド内へ入力される、請求項１１の方法。
【請求項１７】
キー押下、前記タッチ・スクリーンへの手書き、又は、表示されるキーボードの文字のタッチの少なくとも一の形式でユーザ入力を受信すること、及び
前記タッチ選択されたテキストで、前記入力フィールド内へ前記ユーザ入力に対応するテキストを入力すること、を更に含む、請求項１１ないし１６の何れか一項の方法。
【請求項１８】
前記ユーザに関連する予測テキスト辞書に、タッチ選択されたテキストを追加することを更に含む、請求項１１ないし１７の何れか一項の方法。
【請求項１９】
前記タッチ・スクリーン上に一つ以上の提示されるフレーズを表示すること、
前記提示されるフレーズのうち一つからユーザがタッチ選択したテキストを表すタッチ入力信号を前記タッチ・スクリーンを介して受信すること、及び
追加のユーザ入力なしで、前記入力フィールド内へ前記提示されるフレーズから前記タッチ選択されたテキストを入力すること、を更に含む、請求項１１ないし１８の何れか一項の方法。
【請求項２０】
前記電子装置は携帯電話機である、請求項１１ないし１９の何れか一項の方法。
【発明の詳細な説明】
【技術分野】
【０００１】
本開示の技術は、一般的に、電子装置用のユーザ・インターフェースに関し、より具体的には、文章作成が行われるメッセージを移入するために、ユーザがメッセージ・ログからテキストを選択することを可能とする、タッチ・ベースのテキスト入力を含む電子装置に関する。
【背景技術】
【０００２】
携帯電話機のようなポータブル電子装置の中には、ユーザ入力を得るためのタッチ・スクリーン技術を含むものがある。例えば、タッチ・スクリーンは、メニューをナビゲートしたり、ユーザが対応する表示された文字、数字、又は記号にタッチしたときに文字を入力したり、リンク又は表示されたボタンを選択したりするといった機能を実行するために、ユーザ入力を受けるのに用いることができる。しかし、テキスト入力を容易にしたりはかどらせたりするためにタッチ・スクリーンを用いることができる方法において、改良の余地が存在する。
【発明の概要】
【課題を解決するための手段】
【０００３】
メッセージ作成時のテキスト入力を向上させるために、本開示は、タッチ・ベースのテキスト入力のためのシステム及び方法を説明する。メッセージ・ログから一つ以上の語（ｗｏｒｄ）を選択するために、様々なタッチ・コマンドを用いてよい。メッセージ・ログが会話形式のメッセージの記録（例えば、テキスト・メッセージ、インスタント・メッセージ、又は電子メッセージの列）である場合、メッセージ・ログを会話ログと称してよい。一実施形態において、ユーザは、メッセージ・ログ内のテキストにタッチしてよく、タッチされたテキストは、文章作成が行われるメッセージ用の入力フィールド内に即座に現われる。よって、テキストにタッチすると、自動的に、対応するテキストが入力フィールドに追加されるという結果となる。この明細書の以下のセクションでより詳細に説明するように、個々の語又は異なる語の組合せを選択するのに様々なタイプのタッチを用いることができる。
【０００４】
開示の一態様によれば、電子装置は、電子装置によって送信された又は電子装置によって受信された一つ以上のメッセージのテキストを含むメッセージ・ログを表示し、文章作成が行われる新たなメッセージ用のテキストを示す入力フィールドを表示するタッチ・スクリーンと、制御回路とを含む。制御回路は、メッセージ・ログからユーザがタッチ選択したテキストを表すタッチ入力信号をタッチ・スクリーンから受信し、追加のユーザ入力なしで、入力フィールド内へタッチ選択されたテキストを入力するように構成される。
【０００５】
電子装置の一実施形態によれば、タッチ入力信号は、ユーザが個々の語をタッチすることに対応し、個々の語は、入力フィールド内へ入力される。
【０００６】
電子装置の一実施形態によれば、タッチ入力信号は、メッセージ・ログからのメッセージに関連する指定場所に対応し、対応するメッセージからの全てのテキストが、入力フィールド内へ入力される。
【０００７】
電子装置の一実施形態によれば、タッチ入力信号は、ユーザが２つの語の間のスペースをタッチすることに対応し、２つの語は、入力フィールド内へ入力される。
【０００８】
電子装置の一実施形態によれば、タッチ入力信号は、ユーザが第一の語にタッチすること、及び、タッチすることを中断せずに第二の語をタッチするように移動することに対応し、第一及び第二の語は、タッチされた順序で入力フィールド内へ入力される。
【０００９】
電子装置の一実施形態によれば、タッチ入力信号は、テキスト選択開始位置及びテキスト選択終了位置を示すために、第一の位置及び第二の位置に同時にタッチすることに対応し、開始位置から終了位置に及ぶテキストが、入力フィールド内へ入力される。
【００１０】
電子装置の一実施形態によれば、制御回路は、更に、キー押下、タッチ・スクリーンへの手書き、又は、表示されるキーボードの文字のタッチの少なくとも一の形式でユーザ入力を受信し、タッチ選択されたテキストで、入力フィールド内へユーザ入力に対応するテキストを入力するように構成される。
【００１１】
電子装置の一実施形態によれば、制御回路は、更に、ユーザに関連する予測テキスト辞書に、タッチ選択されたテキストを追加するように構成される。
【００１２】
電子装置の一実施形態によれば、制御回路は、更に、タッチ・スクリーン上に一つ以上の提示されるフレーズを表示し、提示されるフレーズの一つからユーザがタッチ選択したテキストを表すタッチ入力信号をタッチ・スクリーンから受信し、追加のユーザ入力なしで、入力フィールド内へ提示されるフレーズからタッチ選択されたテキストを入力するように構成される。
【００１３】
電子装置の一実施形態によれば、電子装置は携帯電話機である。
【００１４】
開示の他の態様によれば、電子装置においてテキストを入力する方法は、タッチ・スクリーン上に、電子装置によって送信された又は電子装置によって受信された一つ以上のメッセージのテキストを含むメッセージ・ログを表示すること、タッチ・スクリーン上に、文章作成が行われる新たなメッセージ用のテキストを示す入力フィールドを表示すること、メッセージ・ログからユーザがタッチ選択したテキストを表すタッチ入力をタッチ・スクリーンを介して受信すること、及び、追加のユーザ入力なしで、入力フィールド内へタッチ選択されたテキストを入力することを含む。
【００１５】
方法の一実施形態によれば、テキストのタッチ選択は、ユーザが個々の語をタッチすることに対応し、個々の語は、入力フィールド内へ入力される。
【００１６】
方法の一実施形態によれば、テキストのタッチ選択は、メッセージ・ログからのメッセージに関連する指定場所に対応し、対応するメッセージからの全てのテキストが、入力フィールド内へ入力される。
【００１７】
方法の一実施形態によれば、テキストのタッチ選択は、ユーザが２つの語の間のスペースをタッチすることに対応し、２つの語は、入力フィールド内へ入力される。
【００１８】
方法の一実施形態によれば、テキストのタッチ選択は、ユーザが第一の語にタッチすること、及び、タッチすることを中断せずに第二の語をタッチするように移動することに対応し、第一及び第二の語は、タッチされた順序で入力フィールド内へ入力される。
【００１９】
方法の一実施形態によれば、テキストのタッチ選択は、テキスト選択開始位置及びテキスト選択終了位置を示すために、第一の位置及び第二の位置に同時にタッチすることに対応し、開始位置から終了位置に及ぶテキストが、入力フィールド内へ入力される。
【００２０】
一実施形態によれば、本方法は、キー押下、タッチ・スクリーンへの手書き、又は、表示されるキーボードの文字のタッチの少なくとも一つの形式でユーザ入力を受信すること、及び、タッチ選択されたテキストで、入力フィールド内へユーザ入力に対応するテキストを入力することを更に含む。
【００２１】
一実施形態によれば、本方法は、ユーザに関連する予測テキスト辞書に、タッチ選択されたテキストを追加することを更に含む。
【００２２】
一実施形態によれば、本方法は、タッチ・スクリーン上に一つ以上の提示されるフレーズを表示すること、提示されるフレーズのうち一つからユーザがタッチ選択したテキストを表すタッチ入力をタッチ・スクリーンから受信すること、及び、追加のユーザ入力なしで、入力フィールド内へ提示されるフレーズからタッチ選択されたテキストを入力することを更に含む。
【００２３】
方法の一実施形態によれば、電子装置は携帯電話機である。
【００２４】
これら及び更なる特徴は、以下の説明及び添付図面を参照することによって明らかとなるだろう。説明及び図面において、本発明の特定の実施形態が、本発明の原理が利用されるであろう方法のうち幾つかを示すものとして詳細に開示されているが、本発明が、範囲において、それに対応して限定されるものではないことが理解される。むしろ、本発明は、本明細書に添付される請求の範囲の範囲内に入る全ての変更、変形及び均等物を含む。
【００２５】
一実施形態に関して説明され及び／又は図示される特徴は、一つ以上の他の実施形態において同じやり方で又は類似のやり方で、及び／又は、他の実施形態の特徴と組み合わせて又はその代わりに用いてもよい。
【図面の簡単な説明】
【００２６】
【図１】タッチ・スクリーン入力組立品を含む例示的な電子装置としての携帯電話機の概略図である。
【図２】通信システムの一部として動作する、図１の電子装置の概略ブロック図である。
【図３】図１の携帯電話機を用いたタッチ・ベースのテキスト入力の例示的な方法を表すフローチャートである。
【図４】ユーザがタッチ・スクリーンにタッチすることによってテキストを入力するための様々な技術を表す、図１の携帯電話機のタッチ・スクリーンの概略図である。
【図５】ユーザがタッチ・スクリーンにタッチすることによってテキストを入力するための様々な技術を表す、図１の携帯電話機のタッチ・スクリーンの概略図である。
【図６】ユーザがタッチ・スクリーンにタッチすることによってテキストを入力するための様々な技術を表す、図１の携帯電話機のタッチ・スクリーンの概略図である。
【図７】ユーザがタッチ・スクリーンにタッチすることによってテキストを入力するための様々な技術を表す、図１の携帯電話機のタッチ・スクリーンの概略図である。
【図８】ユーザがタッチ・スクリーンにタッチすることによってテキストを入力するための様々な技術を表す、図１の携帯電話機のタッチ・スクリーンの概略図である。
【図９】ユーザがタッチ・スクリーンにタッチすることによってテキストを入力するための様々な技術を表す、図１の携帯電話機のタッチ・スクリーンの概略図である。
【図１０】ユーザがタッチ・スクリーンにタッチすることによってテキストを入力するための様々な技術を表す、図１の携帯電話機のタッチ・スクリーンの概略図である。
【発明を実施するための形態】
【００２７】
ここで図面を参照しながら実施形態を説明するが、実施形態を通して、同様の構成要素を言及するのに同様の参照番号を用いる。図面は必ずしも一定の縮尺ではないことが理解されるだろう。
【００２８】
本明細書においては、主として、図示される携帯電話機のようなポータブル無線通信装置に関連して、実施形態を説明する。しかしながら、携帯電話機という例示的なコンテキストは、開示されるシステム及び方法の態様を用いることができる唯一の動作環境ではないことが理解されるだろう。ゆえに、この明細書に記載される技術は、任意のタイプの適切な電子装置に適用することができ、その例として、携帯電話機、メディア・プレーヤ、ゲーム装置、コンピュータ、ポケットベル、通信機、電子手帳、携帯情報端末（ＰＤＡ：ｐｅｒｓｏｎａｌ  ｄｉｇｉｔａｌ  ａｓｓｉｓｔａｎｔ）、スマートフォン、ポータブル通信装置などが含まれる。
【００２９】
まず図１及び２を参照すると、電子装置１０が示される。電子装置１０は、タッチ・スクリーン１２を含む。タッチ・スクリーン１２は、ディスプレイ１４と、ディスプレイ１４上に位置するタッチ入力組立品１６を含んでよい。ディスプレイ１４は、動作状態、時刻、電話番号、連絡先情報、様々なメニューなどのような、ユーザが電子装置１０の様々な機能を利用することを可能とする情報をユーザに対して表示する。ディスプレイ１４はまた、電子装置１０によって受信され、及び／又は、電子装置１０のメモリ１８（図２）から取り出される内容を視覚的に表示するのに用いてよい。ディスプレイ１４は、写真、携帯テレビのコンテンツ、インターネットのページ、及びゲームに関連する映像といった画像、映像及び他のグラフィックをユーザに対して提示するのに用いてよいが、これらに限定されるものではない。タッチ入力組立品１６は、例えば、抵抗式タッチ入力組立品又は静電容量式タッチ入力組立品としてよく、センサ部品からの生信号を分析して、検知されるユーザ入力に対応する入力信号又は命令を生成するための、任意の適切なインターフェース回路（例えば、汎用入出力又はＧＩＰＯ）を含んでよい。
【００３０】
示されるように、ディスプレイ１４及びタッチ入力組立品１６は、タッチ・スクリーンの機能性を実施するために、相互に連動して用いてよい。例えば、ディスプレイ１４は、メニュー、英数字キーの表示、リンクその他の形式で、内容をユーザに表示してよい。ユーザは、タッチ入力組立品１６にタッチして（例えば、タップして）、表示される内容の所望の項目を選択してよい。更に他のタッチ動作（例えば、指をタッチしてドラッグすること）を、書いたり、ナビゲートしたり、スクロールしたり、表示された項目を移動させたりすることなど、他の入力目的のために用いてよい。
【００３１】
図１の例示的な図は、電子装置１０の筐体にベゼルで嵌め込まれたディスプレイ１４及びタッチ入力組立品１６を示す。ディスプレイ１４及びタッチ入力組立品１６は、電子装置１０の筐体と実質的に面一となるように、ベゼルなしで保持されてよいことが理解されるだろう。
【００３２】
一実施形態では、電子装置１０は、テキスト又はナビゲーション入力のためのユーザ入力ボタン又はキーを全く持たない。例えば、電子装置に存在する唯一のボタンがオン／オフ電源ボタンであることもあり得るだろう。他の実施形態では、英数字キー、特殊文字キー、及び／又は、ファンクション・キーを有するキーパッド２０（図２）が、タッチ・スクリーン１２の近傍に位置してよい。代替的に、キーパッド２０は、電子装置１０の筐体部をスライドさせたり、枢動させたり、又は回転させたりして、電子装置１０の他の部分に保持されるキーパッド２０を露出させることによって、アクセスされてよい。しかしながら、このタイプのキーパッド２０は、電子装置１０がこのような方法で開いていないときには、カバーされていてよい。ゆえに、フォーム・ファクター及び／又は使用配置（例えば、開又は閉構成）は、電子装置１０が、常に又は時々、ユーザ入力に用いることができるキー又はボタンを持たないようにしてよい。
【００３３】
電子装置１０は、タッチ入力組立品１６からのユーザ入力を解釈して、電子装置１０のユーザ・インターフェース（ＵＩ：ｕｓｅｒ  ｉｎｔｅｒｆａｃｅ）の一部として適切な応答動作をとるように構成されるタッチ入力機能２２を含んでよい。タッチ入力機能２２の更なる詳細及び動作を以下に、より詳細に説明する。タッチ入力機能２２は、電子装置１０内に常駐し、電子装置１０によって実行される実行可能な命令（例えばコード）として具体化することができる。一実施形態において、タッチ入力機能２２は、コンピュータで読取り可能な媒体に記憶される一つ以上のプログラムであってよい。タッチ入力機能２２は、独立したソフトウェア・アプリケーションであってもよいし、電子装置１０に関する追加のタスクを実行するソフトウェア・アプリケーションの一部を構成してもよい。
【００３４】
また、以下の説明を通して、タッチ・ベースのテキスト入力の例示的な技術を説明する。例示的な技術の説明を通して、ソフトウェアを実行することによって部分的に実行されるであろうステップの説明がなされることが理解されるだろう。説明されるステップは、それにより、当業者であるプログラマーが説明される機能性を実施するためのコードを書くことができる基礎である。そのため、コンピュータ・プログラム・リストは、簡潔さのため省略する。しかしながら、説明されるステップは、対応する装置が実行するように構成される方法と考えてよい。
【００３５】
電子装置１０は、電子装置１０が他の装置との通信を確立することを可能とする通信回路を含む。通信は、通話、データ送信その他を含んでよい。通話は、音声通話及びビデオ通話のような任意の適切な形式をとることができるが、これらに限定されるものではない。通話は、例えば、携帯電話回路交換ネットワーク上で実行されてもよいし、又は、携帯電話ネットワークのパケット交換能力上又は代替的パケット交換ネットワーク（例えば、通例ＷｉＦｉと呼ばれるＩＥＥＥ８０２．１１互換ネットワーク、又は、通例ＷｉＭＡＸと呼ばれるＩＥＥＥ８０２．１６互換ネットワーク）上で確立されるインターネット・プロトコル上の音声（ＶｏＩＰ：ｖｏｉｃｅ  ｏｖｅｒ  Ｉｎｔｅｒｎｅｔ  Ｐｒｏｔｏｃｏｌ）通話の形式であってもよい。データ送信は、ストリーミング・コンテンツ（例えば、ストリーミング音楽、ストリーミング映像など）の受信、データ提供（例えば、プッシュされるデータ、ポッドキャスト、リアリー・シンプル・シンディケーション（ＲＳＳ：ｒｅａｌｌｙ  ｓｉｍｐｌｅ  ｓｙｎｄｉｃａｔｉｏｎ）データ提供）の受信、データ（例えば、画像ファイル、映像ファイル、音声ファイル、着信音、インターネット・コンテンツなど）のダウンロード及び／又はアップロード、メッセージ（例えば、テキスト・メッセージ、インスタント・メッセージ、電子メール・メッセージ、マルチメディア・メッセージ）の受信又は送信、その他を含んでよいが、これらに限定されるものではない。このデータは、電子装置１０によって処理され、メモリ１８にデータを記憶すること、ユーザのデータとの相互作用を可能とするためにアプリケーションを実行すること、データに関連する映像及び／又は画像コンテンツを表示すること、データに関連する音声を出力すること、その他を含む。
【００３６】
例示的な実施形態では、通信回路は、無線回路２６に接続されるアンテナ２４を含んでよい。無線回路２６は、アンテナ２４を介して信号を送受信するための無線周波数送信機及び受信機を含む。無線回路２６は、移動通信システム２８において動作するように構成されてよい。移動無線ネットワーク及び／又は放送ネットワークとの相互作用のための可能な無線回路２６のタイプとして、グローバル・システム・フォー・モバイル・コミュニケーションズ（ＧＳＭ：ｇｌｏｂａｌ  ｓｙｓｔｅｍ  ｆｏｒ  ｍｏｂｉｌｅ  ｃｏｍｍｕｎｉｃａｔｉｏｎｓ）、符号分割多元接続（ＣＤＭＡ：ｃｏｄｅ  ｄｉｖｉｓｉｏｎ  ｍｕｌｔｉｐｌｅ  ａｃｃｅｓｓ）、広帯域ＣＤＭＡ（ＷＣＤＭＡ）、汎用パケット無線サービス（ＧＰＲＳ：ｇｅｎｅｒａｌ  ｐａｃｋｅｔ  ｒａｄｉｏ  ｓｅｒｖｉｃｅ）、ＷｉＦｉ、ＷｉＭＡＸ、総合サービス・デジタル放送（ＩＳＤＢ：ｉｎｔｅｇｒａｔｅｄ  ｓｅｒｖｉｃｅｓ  ｄｉｇｉｔａｌ  ｂｒｏａｄｃａｓｔｉｎｇ）、高速パケット接続（ＨＳＰＡ：ｈｉｇｈ  ｓｐｅｅｄ  ｐａｃｋｅｔ  ａｃｃｅｓｓ）などに加えて、これらの基準の改良版、又は任意の他の適切な基準が含まれるが、これらに限定されるものではない。電子装置１０は、一より多い基準を用いて通信可能であってよいことが、理解されるだろう。ゆえに、アンテナ２４及び無線回路２６は、一又は一より多い無線送受信機を代表してよい。
【００３７】
システム２８は、電子装置１０から発される呼又は電子装置１０宛の呼を管理したり、電子装置１０とデータを送受信したり、任意の他の支援機能を実行したりするためのサーバ３２（又は複数のサーバ）を有する通信ネットワーク３０を含んでよい。サーバ３２は、送信媒体を介して、電子装置１０と通信を行う。送信媒体は、例えば、通信基地（例えば、携帯電話整備塔、つまり基地局（”ｃｅｌｌ”  ｔｏｗｅｒ）、無線アクセス・ポイント、衛星などを含む、任意の適切な装置又は組立品としてよい。ネットワーク３０は、複数の電子装置１０及び他のタイプのエンド・ユーザ装置の通信活動をサポートしてよい。理解されるだろうが、サーバ３２は、サーバ機能を実行するのに用いられる典型的なコンピュータ・システムとして構成されてもよく、サーバ３２の機能を具体化する論理命令を含むソフトウェアを実行するように構成されるプロセッサと、そのようなソフトウェアを記憶するメモリとを含んでよい。代替的な構成においては、電子装置１０は、ローカル・ネットワークを介して又はネットワークを介さずに、他の電子装置１０（例えば、他の携帯電話機又はコンピュータ）と直接的に無線で通信してよい。
【００３８】
電子装置１０は、電子装置１０の機能及び動作の全体的な制御を実行するように構成される主要な制御回路３４を含んでよい。制御回路３４は、中央処理装置（ＣＰＵ：ｃｅｎｔｒａｌ  ｐｒｏｃｅｓｓｉｎｇ  ｕｎｉｔ）、マイクロコントローラ又はマイクロプロセッサのような処理装置３６を含んでよい。処理装置３６は、電子装置１０の動作を実行するために、制御回路３４内のメモリ（図示せず）及び／又はメモリ１８のような別個のメモリに記憶されたコードを実行する。例えば、制御回路３４内のメモリ１８及び／又はメモリ１８は、タッチ入力機能２２を具体化する実行可能コードを記憶してもよく、処理装置３６は、制御回路３４がタッチ入力機能２２の機能を実施するように構成されるように、そのコードを実行してよい。この点に関して、制御回路３４は、タッチ入力組立品１６からのユーザ入力コマンドを受け取ってよい。入力コマンドは、タッチ入力機能２２によって解釈されてもよく、それに応じて、適切な対応動作が、電子１０によって行われてよい。例えば、様々なテキスト入力動作を、この明細書の以下の部分でより詳細に説明する。
【００３９】
メモリ１８は、例えば、一つ以上のバッファ、フラッシュ・メモリ、ハード・ドライブ、リムーバブル・メディア、揮発性メモリ、非揮発性メモリ、ランダム・アクセス・メモリ（ＲＡＭ：ｒａｎｄｏｍ  ａｃｃｅｓｓ  ｍｅｍｏｒｙ）、又は他の適切な装置であってよい。典型的な構成では、メモリ１８は、長期のデータ保存用の非揮発性メモリと、制御回路３４用のシステム・メモリとして機能する揮発性メモリとを含んでよい。メモリ１８は、データ・バス上で制御回路３４とデータを交換してよい。また、メモリ１８と制御回路３４との間に、付随する制御ライン及びアドレス・バスが存在してよい。
【００４０】
電子装置１０は、無線回路２６によって送信され無線回路２６から受信される音声信号を処理するための音声信号処理回路３８を更に含む。音声処理回路３８には、ユーザが電子装置１０を介して聴いたり話したりすることを可能とするスピーカ４０及びマイク４２が接続される。無線回路２６及び音声処理回路３８は、全体的な動作を実行するように、それぞれ制御回路３４に接続される。音声データは、ユーザに対する再生のため、制御回路３４から音声信号処理回路３８へ伝えられてよい。音声データは、例えば、メモリ１８によって記憶され、制御回路３４によって取り出される音声ファイルからの音声データ、又は、音声通信又は携帯ラジオサービスからのストリーミング音声データの形式など受信した音声データを含んでよい。音声処理回路３８は、任意の適切なバッファ、復調器、増幅器その他を含んでよい。
【００４１】
ディスプレイ１４は、映像データを、ディスプレイ１８を駆動するのに用いられる映像信号に変換する映像処理回路４４によって、制御回路３４に接続されてよい。映像処理回路４４は、任意の適切なバッファ、復調器、映像データ・プロセッサその他を含んでよい。映像データは、制御回路３４によって生成され、メモリ１８に記憶される映像ファイルから取り出され、無線回路２６によって受信される入力映像データ・ストリームから導出され、又は、任意の他の適切な方法によって得られてよい。
【００４２】
電子装置１０は、一つ以上の入力／出力（Ｉ／Ｏ）インターフェース（単数又は複数）４６を更に含んでよい。Ｉ／Ｏインターフェース（単数又は複数）４６は、典型的な携帯電話機Ｉ／Ｏインターフェースの形式であってもよく、一つ以上の電気コネクタを含んでよい。Ｉ／Ｏインターフェース（単数又は複数）４６は、ケーブルを介して電子装置１０を他の装置（例えば、コンピュータ）又はアクセサリ（例えば、パーソナル・ハンズフリー（ＰＨＦ：ｐｅｒｓｏｎａｌ  ｈａｎｄｓｆｒｅｅ）装置）に接続するための一つ以上のデータ・ポートを構成してよい。更に、Ｉ／Ｏインターフェース（単数又は複数）４６を通して動作電力を受け取ってもよく、Ｉ／Ｏインターフェース（単数又は複数）４６を通して、電子装置１０内の電力供給ユニット（ＰＳＵ：ｐｏｗｅｒ  ｓｕｐｐｌｙ  ｕｎｉｔ）４８のバッテリを充電するための電力を受け取ってよい。ＰＳＵ４８は、外部電源がない状態で、電子装置１０を動作させるための電力を供給してよい。
【００４３】
電子装置１０はまた、様々な他の構成部品を含んでよい。例えば、デジタル写真及び／又は動画を撮るために、カメラ５０が存在してよい。写真及び／又は動画に対応する画像及び／又は映像ファイルは、メモリ１８に記憶されてよい。電子装置１０の位置を決定するのに、全地球測位システム（ＧＰＳ：ｇｌｏｂａｌ  ｐｏｓｉｔｉｏｎｉｎｇ  ｓｙｓｔｅｍ）受信機のような位置データ受信機５２が関与してよい。赤外線送受信機及び／又は無線送受信機（例えば、ブルートゥース・チップセット）のようなローカル送受信機５４を、アクセサリ（例えば、ＰＨＦ装置）、別の移動無線端末、コンピュータ又は他の装置のような近傍の装置と通信を確立するのに用いてよい。
【００４４】
加えて図３を参照すると、タッチ・ベースのテキスト入力の例示的方法を実施するための論理動作が示されている。例示的方法は、例えば、タッチ入力機能２２の実施形態を実行することによって実現されてよい。よって、図３のフローチャートは、電子装置１０によって実行される方法のステップを図示するものと考えてよい。図３は、機能論理ブロックを実行する特定の順序を示すが、ブロックを実行する順序は、図示される順序に対して変更してよい。また、連続して示される二つ以上のブロックは、同時に実行されてもよいし、又は、部分的に同時に実行されてもよい。また、或るブロックを省略してもよい。
【００４５】
図３の論理フローは、テキスト・メッセージ、インスタント・メッセージ、マルチメディア・メッセージ、又は電子メール・メッセージを用いたメッセージの会話スタイルのフローに関連し、かつ、テキストを構成する例示的なコンテキストを説明する。メッセージの会話フローは、ユーザが別の人にメッセージを送信した後、その人が応答する場合に、典型的に生じる。関与する人たちが双方向のやり取り、又はメッセージによる会話を実行するように、更なるメッセージが、行ったり来たり送信されてよい。各メッセージは、ディスプレイ１４に表示されるであろうメッセージ・ログに維持されてよい。
【００４６】
この例示的な動作のコンテキストに加えて、表示されたテキストから選択されたテキストを入力フィールドに自動的に入力するための説明されるタッチ・ベースのテキスト入力の態様は、任意のタイプのメッセージを作ったり、ワード・プロセッサで作ったり、インターネット・ブラウザに検索文字列を入力したりするなど、他のコンテキストに適用してよいことが理解されるだろう。ゆえに、図示及び説明される会話形式の通信という代表的なコンテキストは、例示的なものであり、説明される技術の用途を限定する意図ではない。
【００４７】
論理フローはブロック５６から始めることができ、ユーザが通信機能を開始するか否かに関して判断がなされる。例えば、もし、ユーザが電子装置１０を用いてメッセージ・アプリケーションを開始すると、ブロック５６で肯定的判断がなされるであろう。仮に通信機能が既に開始されていたとしても、ユーザが新たな受信者に対して新たなメッセージを開始すると、やはりブロック５６で肯定的判断に達するであろう。
【００４８】
もしブロック５６で肯定的判断がなされると、論理フローはブロック５８へ進んでよい。ブロック５８では、メッセージの混合を開始するのに用いられる一般的なフレーズのリストが表示されればよい。一般的なフレーズのリストは、ユーザには依存せず、この種のメッセージに一般的に現われる語句の辞書から得られるものであってよい。代替的に、フレーズのリストは、ユーザに特定のものであって、かつ、この種のメッセージにおいてユーザが一般的に使う語句の辞書から得られるものであってもよい。
【００４９】
加えて図４を参照すると、タッチ・スクリーン１２が、可能性のある開始フレーズ６２の表示リスト６０とともに示されている。図示される例では、４つのフレーズ６２ａから６２ｄが示されているが、４つより少ない又は４つより多いフレーズ６２が示されてもよいことが理解されるだろう。各フレーズは、一つ以上の語を含んでよい。本明細書で用いられる、語（ｗｏｒｄ）という用語は、テキスト・メッセージで書く一般的な方法と同じく、適切なスペリングを有する完全な語、頭字語、及び、スペースを介することなく発音通りに示される語又は複数の語を含む。リスト６０には追加のフレーズ６２が存在してもよく、それは、スクロールバー６４又は他のナビゲーションツールを用いて利用可能である。
【００５０】
また、入力フィールド６６とも称されるテキスト入力フィールドも示されている。ユーザは、キーパッド２０（もしあれば）のボタンを押下したり、ディスプレイ１４上に表示される文字上でタッチ入力１６を押したり、入力されたテキストとして解釈されるタッチ・スクリーン１２上で文字を描いたり、テキスト・ソースからテキストをコピー・ペーストしたりすることによって、入力フィールドにテキスト（例えば、文字、数字、記号及び他の文字）を入力することができる。テキストをコピー・ペーストすることは、テキスト・ソース内のテキストを強調させること、コピー・コマンドを選択すること、入力フィールド６６に戻ること、及び、ペースト・コマンドを選択することを含んでよい。入力フィールド６６は、テキスト入力技術を用いたときに新しいテキストがどこに現われるかを示すカーソル６８を含んでよい。
【００５１】
ブロック５８に続いて、論理フローはブロック７０に進めばよく、選択されるテキストを入力フィールド６６に自動的に入力するために、ユーザが表示されたフレーズ６２のうちの一つからテキストを選択するか否かに関して決定がなされる。もしブロック７０で肯定的判断がなされれば、論理フローはブロック７２に進んでよく、選択されたテキストが、入力フィールド６６に自動的に追加される。この明細書の目的のため、入力フィールド６６へのテキストの自動的な追加は、テキストを選択すること以外に何らの追加のユーザ動作（例えば、コマンドの入力）なしで、選択されたテキストを追加することを含む。ゆえに、いったん選択されれば、テキストを手動でコピー・ペーストするといったユーザ動作を何ら介在させることなく、テキストは、入力フィールド６６において、カーソル６８の現在位置に現われる。
【００５２】
この目的のための様々なテキスト選択技術を、以下の段落で説明する。これらの例では、ユーザが入力フィールド６６に現われることを望むテキスト（つまり所望のテキスト７４）は、クロス・ハッチングを用いて強調される。ディスプレイ１４上でのテキストの強調は、タッチ・ベースのテキスト入力の一部として、実際にはなされないかも知れない。また、これらの例において、一つ以上の指先によるユーザのタッチの概略的位置を、楕円７６で示す。タッチ・ベースの入力は、指関節によるタッチ、タッチペンによるタッチなど他の方法で実施されてよいことが理解されるだろう。また、タッチ入力組立体１６によっては、ユーザの指又はタッチペンの近接した存在にも反応することができるため、実際にタッチ・スクリーン１２にタッチすることは要求されない。
【００５３】
一つの例示的なテキスト選択技術を、図４に示す。この技術では、ユーザが、所望の語の間のスペースでタッチ・スクリーン１２をタッチすることによって、２つの語が選択される。図示される例では、所望の語は、フレーズ６２ｃの「ｇｏｏｄ  ｍｏｒｎｉｎｇ」であり、所望のテキスト７４を示すためにクロス・ハッチングを用いて強調されている。所望の語の間のスペースでタッチする結果として、図示されるように、対応する語が入力フィールド６６内へ自動的に入力される。
【００５４】
一実施形態において、もしユーザが入力フィールド６６に挿入するためにフレーズ６２の一部を選択すると、選択されたテキストで始まるか又は選択されたテキストを含む追加のフレーズが表示されてよい。図４に示される例では、ユーザは、語「ｇｏｏｄ  ｍｏｒｎｉｎｇ」を選択している。図５に示すように、語「ｇｏｏｄ  ｍｏｒｎｉｎｇ」で始まるか又は語「ｇｏｏｄ  ｍｏｒｎｉｎｇ」を含む追加のフレーズ６２が表示される。上記方法において、メッセージの作成は、メッセージを作成するための予測テキスト機能が提供されることによって容易にしてよい。
【００５５】
別の例示的なテキスト選択技術を図５に示す。この技術では、フレーズ６２に関連する指定領域をタッチすることによって、フレーズ６２全体が選択される。一実施形態において、指定領域は、所望のフレーズ６２の直前の空白スペースである。例えば、図５に示すように、各フレーズ６２は、輪郭又は吹き出し７８に囲まれていてよい。ユーザは、吹き出し７８の縁と所望のフレーズ６２の最初の文字との間でタッチ・スクリーン１２をタッチすることによって、フレーズ６２全体を選択してよい。フレーズ６２全体を選択するために指定領域をタッチする結果として、図示されるように、対応する語が入力フィールド６６内に自動的に入力される。
【００５６】
会話ログとも称されるメッセージ・ログからテキストを選択することに関連して、以下で追加のテキスト選択技術を説明する。それらの技術の何れも、提示されるフレーズ６２の表示からテキストを選択することに適用してよい。また、提示されるフレーズ６２からテキストを選択する技術の何れも、メッセージ・ログからテキストを選択するために用いてよい。
【００５７】
ブロック７２に続いて又はブロック７０での否定的判断に続いて、ブロック８０で、ユーザは、メッセージの混合を開始すればよい。メッセージの混合は、メッセージを作成して他の人に送ることによって開始されてよい。メッセージの作成は、一つ以上の提示されるフレーズからテキストを選択することを含んでよい。メッセージの作成の他の方法としては、キーパッド２０（もしあれば）を用いてメッセージをタイプすること、表示される文字を順次タッチすること、タッチ・スクリーン１２上で文字を描く又は手書きすることなどが含まれる。また、メッセージの作成は、入力フィールド６６内へ自動的に挿入するためにテキストを選択することと、他の技術との組合せを含んでよい。
【００５８】
他の状況では、電子装置１０が他の電子装置からメッセージを受信したときに、メッセージの混合の開始がなされてよい。代替的に、メッセージの混合が既に進行中であってもよいし、又は、ユーザが記憶されたメッセージ・ログを開いてもよい。
【００５９】
更に図６から１０を参照すると、メッセージ・ログ８２が表示されてよい。メッセージ・ログ８２は、電子装置１０から事前に送信され、及び／又は、電子装置１０によって受信されたメッセージ８４のテキストを含んでよい。図示される例では、４つのメッセージ８４ａから８４ｄが示されているが、４つよりも少ない又は多いメッセージ８４が示されてもよいことが理解されるだろう。各メッセージ８４は、対応する吹き出し８６に表示されてよい。更なるメッセージ８４が、ログ８２に存在し、スクロールバー６４又は他のナビゲーションツールを用いてアクセス可能であってよい。また、入力フィールド６６及びカーソル６８も示されている。
【００６０】
ブロック８０に続いて又はメッセージの混合を開始する何らかの他の動作に続いて、論理フローは、ブロック８８に進めばよい。例えば、ブロック５６での否定的判断、又は、電子装置１０がメッセージを受信したときの論理フローへの開始点として、ブロック８８に到達すればよい。
【００６１】
ブロック８８では、ユーザが、入力フィールド６６への自動的な追加のため、表示されるメッセージ・ログ８２からテキストを選択するか否かについて判断がなされればよい。テキスト選択は、提示されるフレーズ６２からテキストを選択するための上述した方法の何れかによってなされてよい。更なるテキスト選択技術を以下の段落で説明するが、これらもまた、提示されるフレーズ６２からテキストを選択するのに用いてよい。もしブロック８８で肯定的判断がなされれば、論理フローはブロック８６に進んでよく、選択されたテキストは、入力フィールド６６へ自動的に追加される。示されるように、入力フィールド６６内へのテキストの自動的な追加は、テキストを選択する以外に、何らの追加のユーザ動作（例えば、コマンドの入力）なしで選択されたテキストを追加することを含む。ゆえに、いったん選択されれば、テキストを手動でコピー・ペーストするといったユーザ動作を何ら介在させることなく、テキストは、入力フィールド６６において、カーソル６８の現在位置に現われる。
【００６２】
一つの例示的なテキスト選択技術を、図６及び７に示す。この技術では、ユーザが所望の語の上でタッチ・スクリーン１２をタッチすることによって単一の語が選択される。図６に示す例では、所望の語は、メッセージ８４ｄの単一の文字「Ｉ」であり、所望のテキスト７４を示すためにクロス・ハッチングを用いて強調されている。所望の語は一より多い文字を有していてもよく、ユーザは、語を選択するためにその語の何れの部分をタッチしてもよいことが理解されるだろう。例えば、図７に示される例では、所望の語は、メッセージ８４ｄの「Ｗａｙｎｅ’ｓ」である。その語をタッチする結果として、図示されるように、対応する語が入力フィールド６６内に自動的に入力される。
【００６３】
別の例示的なテキスト選択技術を図８に示す。この技術では、ユーザは、タッチ・スクリーン１２上の開始点（楕円７６ａで示される）をタッチしてよく、これは、入力フィールド６６への任意の対応するテキストの選択という結果となるだろう。図示される例では、開始点は、メッセージ８４ｄの語「Ｉ」に対応する。タッチを中断することなく（例えば、タッチ・スクリーン１２からユーザの指を持ち上げることなく）、ユーザは、開始点から終了点に及ぶ所望のテキスト７４を選択するために、終了点（楕円７６ｂで示される）に移動してよい。図示される例では、終了点は語「Ｗａｙｎｅ’ｓ」に対応する。このタイプのテキスト選択は、開始点でタッチ・スクリーン１２を指先でタッチし、指先を終了点までドラッグし、タッチ・スクリーン１２から指先を持ち上げることによってなされてよい。指先がドラッグされるとき、ユーザが自分の指を動かすところにある連続する各語が選択され、入力フィールド６６に追加されるだろう。図示される例では、ユーザは、フレーズ「Ｉ  ｗｉｌｌ  ｂｅ  ａｔ  Ｗａｙｎｅ’ｓ」が入力フィールドに入力されるように、「Ｉ」、「ｗｉｌｌ」、「ｂｅ」、「ａｔ」及び「Ｗａｙｎｅ’ｓ」を段階的にタッチする。このように語をタッチすることは、タッチ・スクリーン１２上に現われるのと同じ順序である必要はなく、同じメッセージ８４からである必要はなく、及び／又は、一又は複数のメッセージ８４のうちの連続する語である必要もない。例えば、ユーザは、メッセージ８４ｄの「Ｉ」をタッチし、同じメッセージの「ｗａｎｔ」まで下方へドラッグし、メッセージ８４ｃの「ａ」へ、それからメッセージ８４ｃの「ｃｏｆｆｅｅ」へメッセージ８４ｄ中を移動することによって、「Ｉ  ｗａｎｔ  ａ  ｃｏｆｆｅｅ」を入力してよい。代替的に、タッチ・スクリーン１２上に現われる複数の語で構成されるフレーズは、各語を個々に連続的にタッチすること（例えば、タップすること）によって作成してよい。このように一つ以上の語の各々をタッチする結果として、図示されるように、対応する語が入力フィールド６６内へ自動的に入力される。
【００６４】
一連の語を選択するための更に別の例示的なテキスト選択技術を図１０に示す。この技術では、ユーザは、開始点（楕円７６ａで示される）と終了点（楕円７６ｂで示される）とを特定するために２つの位置で同時にタッチ・スクリーン１２をタッチする。このようにタッチすることは、例えば、人差し指と親指とを用いて、又は、人差し指と中指とを用いて行ってよい。このタッチ入力に反応して、開始点に関連する語、終了点に関連する語、及び、開始点と終了点との間に語（単数又は複数）があればその語が、タッチ・スクリーン１２上に当該語が現われる順序で入力フィールドへ追加される。図示される例では、開始点は、メッセージ８４ｄの語「Ｉ」に対応し、終了点は、同じメッセージの語「Ｗａｙｎｅ’ｓ」に対応する。語「ｗｉｌｌ  ｂｅ  ａｔ」が、開始点と終了点との間に介在する。ゆえに、この例では、タッチ・スクリーン１２の複数点をタッチした結果として、フレーズ「Ｉ  ｗｉｌｌ  ｂｅ  ａｔ  Ｗａｙｎｅ’ｓ」が、入力フィールド６６内へ入力されるだろう。２つの位置でタッチ・スクリーン１２をタッチする結果として、図示されるように、一つ以上の対応する語が入力フィールド６６内へ自動的に入力される。
【００６５】
図４に関連して説明されたテキスト選択技術に類似する、別の例示的なテキスト選択技術を図１０に示す。図１０の技術では、ユーザが所望の語の間のスペースでタッチ・スクリーン１２をタッチすることによって、２つの語が選択される。図示される例では、所望の語は、メッセージ８４ｂの「ｔｈａｎｋ  ｙｏｕ」であり、所望のテキスト７４を示すためにクロス・ハッチングを用いて強調されている。所望の語の間のスペースでタッチする結果として、図示されるように、対応する語が入力フィールド６６内へ自動的に入力される。
【００６６】
更に別の例示的なテキスト選択技術は、図５のテキスト選択に類似している。この技術では、メッセージ８４に関連する指定領域をタッチすることによって、メッセージ８４全体のテキストが選択されてよい。一実施形態において、吹き出し８６の縁と所望のメッセージ８４の最初の文字との間でタッチ・スクリーン１２をタッチすることなどによって、指定領域は、所望のメッセージ８４の直前の空白スペースである。他の指定領域は、吹き出し８６の縁であってもよい。メッセージ８４全体の選択のために指定領域をタッチする結果として、対応する語が入力フィールド６６内へ自動的に入力される。
【００６７】
テキスト選択はまた、タッチ・スクリーンの２回タップ及び３回タップといった追加の動作を含んでよい。例えば、２回タップは、メッセージ８４の一つから対応する文を選択してよく、３回タップは、対応するメッセージ８４のテキスト全体を選択してよい。
【００６８】
表示されたテキストをタッチで選択するか又は他の入力手段（例えば、タイプ、タッチ・スクリーン１２上での手書きなど）によって、いったん入力フィールド６６内に何らかのテキストが入力されると、タッチ・スクリーン１２上に表示されたテキストをタッチで選択するか又は他の手段（例えば、タイプ又は手書き）によって、入力フィールド６６に追加のテキストを追加してよい。例えば、図８又は図９に示される例の結果として、入力フィールド６６内へフレーズ「Ｉ  ｗｉｌｌ  ｂｅ  ａｔ  Ｗａｙｎｅ’ｓ」が入力される。一実施形態において、そのようなテキスト入力の後、カーソル６８は、追加のテキストの入力のために、入力されたフレーズの後に位置すればよい。例を続けると、図１０は、フレーズ「Ｉ  ｗｉｌｌ  ｂｅ  ａｔ  Ｗａｙｎｅ’ｓ」が入力フィールド６６に入力された後に語「ｔｈａｎｋ  ｙｏｕ」が選択されていることを示し、そのため、新しく入力されたテキストは「Ｉ  ｗｉｌｌ  ｂｅ  ａｔ  Ｗａｙｎｅ’ｓ  ｔｈａｎｋ  ｙｏｕ．」と読める。
【００６９】
また、他のテキスト編集機能を実行してもよい。例えば、入力フィールド６６内のテキストの全てのうち幾つかを削除したり、テキストを並び替えたり、存在するテキストに対して任意の位置でテキストを入力するためにカーソル６８を移動させたりなどしてよい。また、入力されたテキストに基づき、予測テキスト機能が、入力されたテキストに論理的に続くであろう追加の語又はフレーズを表示してもよい。この明細書の前記部分でより詳細に説明したように、ユーザは、入力フィールド６６への入力のために、表示される予測テキストをタッチ選択してもよい。
【００７０】
図３のフロー図に戻ると、論理フローは、ブロック９０の後、ブロック９２に進めばよい。ブロック９２では、タッチすることによって入力フィールド６６内への入力用に選択されたテキストを、ユーザに関連する予測テキスト辞書に追加してよい。
【００７１】
また、一旦ユーザが入力フィールド６６に現われるテキストに満足すれば、ユーザは、入力されたテキストを含むメッセージの送信を命令すればよい。
【００７２】
特定の実施形態を図示して説明してきたが、当業者は、この明細書を読んで理解することにより、添付される請求の範囲の範囲に入る均等物及び変形例を想起するであろうと理解される。
【図１】
2012522284.tif 000003
【図２】
2012522284.tif 000004
【図３】
2012522284.tif 000005
【図４】
2012522284.tif 000006
【図５】
2012522284.tif 000007
【図６】
2012522284.tif 000008
【図７】
2012522284.tif 000009
【図８】
2012522284.tif 000010
【図９】
2012522284.tif 000011
【図１０】
2012522284.tif 000012
【手続補正書】
【提出日】平成23年9月28日(2011.9.28)
【手続補正１】
【補正対象書類名】特許請求の範囲
【補正対象項目名】全文
【補正方法】変更
【補正の内容】
【特許請求の範囲】
【請求項１】
電子装置によって送信された又は前記電子装置によって受信された一つ以上のメッセージのテキストを含むメッセージ・ログを表示し、文章作成が行われる新たなメッセージ用のテキストを示す入力フィールドを表示するタッチ・スクリーン（１６）と、
前記メッセージ・ログからユーザがタッチ選択したテキストを表すタッチ入力信号を前記タッチ・スクリーンから受信し、
追加のユーザ入力なしで、前記入力フィールド内へ前記タッチ選択されたテキストを入力するように構成される制御回路（３４）と、を含む、電子装置（１０）。
【請求項２】
前記タッチ入力信号は、ユーザが個々の語をタッチすることに対応し、前記個々の語は、前記入力フィールド内へ入力される、請求項１の電子装置。
【請求項３】
前記タッチ入力信号は、前記メッセージ・ログからのメッセージに関連する指定場所に対応し、前記対応するメッセージからの全てのテキストが、前記入力フィールド内へ入力される、請求項１の電子装置。
【請求項４】
前記タッチ入力信号は、ユーザが２つの語の間のスペースをタッチすることに対応し、前記２つの語は、前記入力フィールド内へ入力される、請求項１の電子装置。
【請求項５】
前記タッチ入力信号は、ユーザが第一の語にタッチすること、及び、前記タッチすることを中断せずに第二の語をタッチするように移動することに対応し、前記第一及び第二の語は、タッチされた順序で前記入力フィールド内へ入力される、請求項１の電子装置。
【請求項６】
前記タッチ入力信号は、テキスト選択開始位置及びテキスト選択終了位置を示すために、第一の位置及び第二の位置に同時にタッチすることに対応し、前記開始位置から前記終了位置に及ぶテキストが、前記入力フィールド内へ入力される、請求項１の電子装置。
【請求項７】
前記制御回路は、更に、
キー押下、前記タッチ・スクリーンへの手書き、又は、表示されるキーボードの文字のタッチの少なくとも一の形式でユーザ入力を受信し、
前記タッチ選択されたテキストで、前記入力フィールド内へ前記ユーザ入力に対応するテキストを入力するように構成される、請求項１ないし６の何れか一項の電子装置。
【請求項８】
前記制御回路は、更に、前記ユーザに関連する予測テキスト辞書に、タッチ選択されたテキストを追加するように構成される、請求項１ないし７の何れか一項の電子装置。
【請求項９】
前記制御回路は、更に、
前記タッチ・スクリーン上に一つ以上の提示されるフレーズを表示し、
前記提示されるフレーズの一つからユーザがタッチ選択したテキストを表すタッチ入力信号を前記タッチ・スクリーンから受信し、
追加のユーザ入力なしで、前記入力フィールド内へ前記提示されるフレーズから前記タッチ選択されたテキストを入力するように構成される、請求項１ないし８の何れか一項の電子装置。
【請求項１０】
前記電子装置は携帯電話機である、請求項１ないし９の何れか一項の電子装置。
【国際調査報告】
2012522284.tif 000013
2012522284.tif 000014